(57)【要約】【課題】  ＢＤ−ＲＯＭフォーマッタからの１−７ＰＰデータ露光時にリアルタイムにＲＤ−ＲＯＭフォーマッタから出力されるデータのチェックを行なう。【解決手段】  ＢＤ−ＲＯＭフォーマッタ２０から出力されるフォーマット化された１−７ＰＰ信号２２を高速でデコードし、元のデータ３４と比較部３０で比較し、ＢＤ−ＲＯＭフォーマッタ２０からのデータの真偽をリアルタイムにチェックする。【選択図】    図１
2006155694.tif 000002
【特許請求の範囲】
【請求項１】
青紫レーザ光源を用いて、１−７ＰＰ記録符号化方式で論理フォーマット化されたデータをディスクに記録すると共に該１−７ＰＰ記録符号化方式で論理フォーマット化されたフォーマッタからの該データ出力をチェックするディスク信号評価装置に於いて、
前記フォーマッタからの前記出力データをディスクへの記録と共にリアルタイムに処理する処理手段と、
前記処理手段での処理データをフォーマッタに供給するオリジナルデータと比較する比較手段とを、
具備して、
前記比較手段の比較結果により前記フォーマッタの正常データをチェックする様に成したことを特徴とするディスク信号評価装置。
【請求項２】
前記処理手段が前記ディスクに記録する際の戻り光からの出力データをディスクへの記録と共にリアルタイムに処理する処理手段であることを特徴とする請求項１記載載のディスク信号評価装置。
【請求項３】
青紫レーザ光源を用いて、１−７ＰＰ記録符号化方式で論理フォーマット化されたデータにチェックサムを付加してディスクに記録すると共に該１−７ＰＰ記録符号化方式で論理フォーマット化されたフォーマッタからのデータ出力をチェックするディスク信号評価装置に於いて、
前記フォーマッタからの出力データをディスクへの記録と共にリアルタイムに処理する処理手段と、
前記処理手段での処理データをフォーマッタに供給するオリジナルデータと比較する比較手段と、
前記チックサムを段階的に比較するチックサム比較手段と、
を具備して、
前記チェックサム比較手段により前記フォーマッタの正常データをチェックする様に成したことを特徴とするディスク信号評価装置。
【請求項４】
前期処理手段が前記ディスクに記録する際の戻り光からの出力データをディスクへの記録と共にリアルタイムに処理する処理手段であることを特徴とする請求項３記載載のディスク信号評価装置。
【請求項５】
青紫レーザ光源を用いて、１−７ＰＰ記録符号化方式で論理フォーマット化されたデータをディスクに記録すると共に該１−７ＰＰ記録符号化方式で論理フォーマット化されたフォーマッタからの該データ出力をチェックするディスク信号評価装置に於いて、
前記ディスクにコピープロテクト用の暗号化を施す際に、前記論理フォーマッタで記録した標準ディスクの出力データを処理する処理手段と、
前記処理手段内での復号時に信号レベルで暗号化データを比較する暗号比較手段と、
前記処理手段での処理データを前記フォーマッタに供給するオリジナルデータと比較する比較手段と、を具備して、
前記暗号化比較手段によりフォーマッタの正常データをチェックする様に成したことを特徴とするディスク信号評価装置。
【請求項６】
前記比較手段は前記処理手段の処理データとオリジナルデータのコンテンツを比較するように成したことを特徴とする請求項１乃至請求項５記載のいずれか１項記載のディスク信号評価装置。
【請求項７】
青紫レーザ光源を用いて、１−７ＰＰ記録符号化方式で論理フォーマット化されたデータをディスクに記録すると共に該１−７ＰＰ記録符号化方式で論理フォーマット化されたフォーマッタからの該データ出力をチェックするディスク信号評価方法に於いて、
前記フォーマッタからの前記出力データをディスクへの記録と共にリアルタイムに処理する処理ステップと、
前記処理ステップでの処理データをフォーマッタに供給するオリジナルデータと比較する比較ステップとを、
具備して、
前記比較ステップの比較結果により前記フォーマッタの正常データをチェックする様に成したことを特徴とするディスク信号評価方法。
【発明の詳細な説明】
【技術分野】
【０００１】
本発明は青紫レーザ光源を用いたディスクの各種信号をチェックするディスク信号評価装置およびディスク信号評価方法に係わり、特に、記録符号化方式に１−７ＰＰ方式を用いたディスクの信号評価装置およびディスクの評価方法に関する。
【背景技術】
【０００２】
従来から、４０５ｎｍの青紫レーザダイオード（以下ＢＤと記す）を光源とし、各種ディスクに映像、音楽、文字データ等を大量に記録・再生可能なディスクとして規格化されたものに書き換え可能な光ディスク規格「ＢＤ−ＲＥ」や再生専用光ディスク規格「ＢＤ−ＲＯＭ」および追記型光ディスク規格「ＢＤ−Ｒ」等があり、特に「ＢＤ−ＲＥ」や「ＢＤ−ＲＯＭ」等の規格ではＨＤＴＶ（高精細テレビ）をディスクの片面に２時間以上記録・再生可能なディスクとして知られている。
【０００３】
上述の規格に用いるデータの記録符号化方式として用いられている１−７ＰＰ［１−７  Ｐａｒｉｔｙ  Ｐｒｅｓｅｒｖｅ／Ｐｒｏｈｉｂｉｔ  ＲＭＴＲ（Ｒｅｐｅａｔｅｄ  Ｍｉｎｉｍｕｍ  Ｔｒａｎｓｉｔｉｏｎ  Ｒｕｎ  Ｌｅｎｇｔｈ）］はＲＬＬ（Ｒｕｎ  Ｌｅｎｇｔｈ  Ｌｉｍｉｔｅｄ）の符号化に於いて、ｄリミテーションおよびｋリミテーションのパラメータを１および７にとるものであり、ＮＲＺＩ（Ｎｏｎ  Ｒｅｔｕｒｎ  Ｚｅｒｏ  Ｉｎｖｅｒｔｅｄ）での表現では、ｄおよびｋリミテーションは１と１との間にある０の数は最小値ｄ個、最大値ｋ個に成ることを意味する。Ｐｒｏｈｉｂｉｔ  ＲＭＴＲは高密度信号再生処理方法であり、最小ランレングスの繰り返し回数を制限するもので７回以上つづくことがないようにしたものである。また、Ｐａｒｉｔｙ  Ｐｒｅｓｅｒｖｅ符号はＤＣフリーにする為のもので、ＤＣコントロールビットの挿入は一般にはＲＬＬ符号化の後に行なわれるがＰａｒｉｔｙ  Ｐｒｅｓｅｒｖｅ符号ではＲＬＬ符号化の前にソースビット列に挿入し、ソースビットをＲＬＬ符号化する際に同じパリティを保ったまま変換出来るようにしたものである。
【０００４】
上述の様に１−７ＰＰ方式のフォーマットで符号化された１−７ＰＰ変調信号のビットレートは標準（１倍速）の６６ＭＨｚおよび２倍速の１３２ＭＨｚとされている。このような「ＢＤ−ＲＥ」や［ＢＤ−ＲＯＭ］等の規格に準拠した１−７ＰＰ変調信号のジッタを測定するデジタルプロセッシング・ジッタアナライザは非特許文献１に開示されている。又、上述の１−７ＰＰ記録符号化方式を用いた１−７ＰＰ記録符号化フォーマットについては本出願人が特許文献１に於いて、ＢＤのディスクに対してユニークＩＤを記録し、ユニークＩＤの秘匿性を高める記録媒体を開示しており、１−７記録符号化フォーマットについても詳細に説明している。
【０００５】
また、ＣＤ等のディスクのフォーマッタに通す前の信号とフォーマッタを通した後の信号を複号したデータを比較する様に構成した光ディスクのソフトウェア制作システムが特許文献２に開示されている。
【０００６】
図１１は特許文献２に記載された光ディスクのソフトウェア制作システム９０を示すもので、図１１に於いて、コンピュータ９１と映像、音楽、アプリケーションプログラム等のソース情報を所定の記録フォーマットに変換するソフトウェアが記録される大容量のハードディスク９２と、ハードディスク９２に記録されたソフトウェアが転送され、このソフトウェアを記憶するＲＡＭ９３と、このＲＡＭ９３から読み出された再生順序に従って、読み出されたソフトウェアの転送速度を調整するＦＩＦＯ９４と、このＦＩＦＯ９４のソフトウェアを動作させるＣＤ−Ｉプレーヤ９５から構成されている。
【０００７】
上記ＲＡＭ９３は、少なくともＣＤ−１デスィク１枚分の記録容量、例えば６４０Ｍバイトの容量を有し、ハードディスク９２から転送されるＣＤ−１ディスクの１枚分のデータを記録する様になっている。また、ＣＤ−１プレーヤ９５はＥＭＦ復調器やそれ以後のエラー検出、ビデオ信号再生回路等のアプリケーションを実行するＰＣを有している。即ち、コンピュータ９１は、ハードディスク９２に記録された記録フォーマットに変換するソフトウェアに基づいて、同じく、ハードディスクに記録されているソース情報をＣＤ−１のフォーマットに適合する様に変換する。
【０００８】
図１１ではハードディスク９２に記録されたソフトウェアがＲＡＭ９３に転送され、このＲＡＭＭ９３からは再生順序に従ってソフトウェアが順次読み出されＦＩＦＯ９４から順次読み出される。このＦＩＦＯ９４からはＣＤ−１プレーヤ９５の再生に同期した再生信号が出力され、ＣＤ−１プレーヤ９５からは音楽、映像の再生、或いは、プログラムが実行されるように成されている。この様な再生或いは実行において、ソフトウェアが正常に動作するかの評価を行ないソフトウェアに問題があれば、ＣＤ−１のデータフォーマットに適合したデータフォーマットに変換し、ＲＡＭ９３に記録する操作をソフトウェアが正常に動作する様になるまで繰り返すように成されている。従って、特許文献２の記載内容によれば、従来の様に、追記型光ディスクにソフトウェアを追記型のディスクにその都度書き込むために要する評価時間を短縮した光ディスクのソフトウェア制作システムが得られる。
【０００９】
然し、上記した非特許文献１に記載のデジタルプロセッシング・ジッタアナライザでは１倍速（６６ＭＨｚ）及び２倍速（１３２ＭＨｚ）のＨＦの１−７変調信号のジッタを測定するものであり、フォーマット化された大容量の高速出力データをＢＤ−ＲＯＭの記録時にリアルタイムなデータチェックを行うものではない。
【００１０】
又、上述の従来の特許文献２に記載の構成では、音楽、映像、アプリケーションプログラム等をＣＤ−１のデータフォーマットに適合するソフトウェアに変換するプロセス時間を短縮できるが、本発明においては１−７ＰＰ記録符号化方式でデータ記録されるＢＤ−ＲＯＭ論理フォーマッタからのファイルシステム及びアプリケーションシステム規格に適合したフォーマット化された大容量の高速出力データをＢＤ−ＲＯＭの記録時にリアルタイムでフレキシブルなデータチェックを行うことが出来ると共にＢＤ−ＲＯＭ論理フォーマッタ（信号発生器）内でのノイズなどによるエラーの検出を可能とするディスク信号評価装置およびディスク信号評価方法を得ることを目的とするものである。
【非特許文献１】リーダ電子株式会社ホームページ、ｈｔｔｐ：／／ｗｗｗ．ｌｅａｄｅｒ．ｃｏ．ｊｐ、  ＬＥ  １８７６、デジタルプロセッシング・ジッタアナライザ、１４８〜１４９、平成１５年１０月２７日。
【特許文献１】特願２００４−１２５８９３号公報
【特許文献２】特開平４−２２９４６１号公報
【発明の開示】
【発明が解決しようとする課題】
【００１１】
本発明は上述の課題を解決するために成されたものでリアルタイムにＢＤ−ＲＯＭフォーマッタの出力やカッティングマシンの戻り光からの信号をデコードし、オリジナルデータと比較評価して、正しい信号がフォーマッタから発生されているかをチェックできるディスク信号評価装置およびディスク信号評価方法を得ることを第１の目的とするものである。
又、ＢＤ−ＲＯＭフォーマッタが付加したチェックサムおよびのフォーマッタの出力やカッティングマシンの戻り光からのチェックサムおよびフォーマッタ信号をデコードし、オリジナルのコンテンツデータとデコードしたデータおよびチェックサムを比較し、正しい信号がフォーマッタから発生されているかをリアルタイムにチェックできるディスク信号評価装置およびディスク信号評価方法を得ることを第２の目的とするものである。
更に、リアルタイムにＢＤ−ＲＯＭフォーマッタの出力やカッティングマシンの戻り光からの信号をデコードし、暗号化されたコンテンツデータを復号して、データの真偽をチェックするディスク信号評価装置およびディスク信号評価方法を提供することを第３の目的とするものである。
【課題を解決するための手段】
【００１２】
第１の本発明のディスク信号評価装置は、青紫レーザ光源を用いて、１−７ＰＰ記録符号化方式で論理フォーマット化されたデータをディスクに記録すると共に１−７ＰＰ記録符号化方式で論理フォーマット化されたフォーマッタのデータ出力をチェックするディスク信号評価装置に於いて、フォーマッタからの出力データをディスクへの記録と共にリアルタイムに処理する処理手段と、この処理手段での処理データをフォーマッタに供給するオリジナルデータと比較する比較手段と、を具備して、比較手段の比較結果によりフォーマッタの正常データをチェックする様にしたものである。
【００１３】
第２の本発明のディスク信号評価装置は、青紫レーザ光源を用いて、１−７ＰＰ記録符号化方式で論理フォーマット化されたデータをディスクに記録すると共に１−７ＰＰ記録符号化方式で論理フォーマット化されたフォーマッタのデータ出力をチェックするディスク信号評価装置に於いて、ディスクに記録する際の戻り光からの出力データをディスクへの記録と共にリアルタイムに処理する処理手段と、この処理手段での処理データをフォーマッタに供給するオリジナルデータと比較する比較手段と、を具備して、比較手段の比較結果によりフォーマッタの正常データをチェックする様にしたものである。
【００１４】
第３の本発明のディスク信号評価装置は、青紫レーザ光源を用いて、１−７ＰＰ記録符号化方式で論理フォーマット化されたデータにチェックサムを付加してディスクに記録すると共に１−７ＰＰ記録符号化方式で論理フォーマット化されたフォーマッタのデータ出力をチェックするディスク信号評価装置に於いて、フォーマッタからの出力データをディスクへの記録と共にリアルタイムに処理する処理手段と、この処理手段での処理データをフォーマッタに供給するオリジナルデータと比較する比較手段と、チックサムを段階的に比較するチックサム比較手段と、を具備し、チェックサム比較手段によりフォーマッタの正常データをチェックする様にしたものである。
【００１５】
第４の本発明のディスク信号評価装置は、青紫レーザ光源を用いて、１−７ＰＰ記録符号化方式で論理フォーマット化されたデータにチェックサムを付加してディスクに記録すると共に１−７ＰＰ記録符号化方式で論理フォーマット化されたフォーマッタのデータ出力をチェックするディスク信号評価装置に於いて、フォーマッタからディスクに記録する際の戻り光の出力データをディスクへの記録と共にリアルタイムに処理する処理手段と、この処理手段での処理データをフォーマッタに供給するオリジナルデータと比較する比較手段と、チックサムを段階的に比較するチックサム比較手段と、を具備し、チェックサム比較手段によりフォーマッタの正常データをチェックする様にしたものである。
【００１６】
第５の本発明のディスク信号評価装置は、青紫レーザ光源を用いて、１−７ＰＰ記録符号化方式で論理フォーマット化されたデータをディスクに記録すると共に１−７ＰＰ記録符号化方式で論理フォーマット化されたフォーマッタからのデータ出力をチェックするディスク信号評価装置に於いて、ディスクにコピープロテクト用の暗号化を施す際に、論理フォーマッタで記録した標準ディスクの出力データからのデータを処理する処理手段と、処理手段内での復号時に信号レベルで暗号化データを比較する暗号比較手段と、処理手段での処理データをフォーマッタに供給するオリジナルデータと比較する比較手段と、を具備して、暗号化比較手段によりフォーマッタの正常データをチェックする様にしたものである。
【００１７】
第６の本発明のディスク信号評価装置は、第１乃至第５の発明に於いて、比較手段は処理手段の処理データとオリジナルデータのコンテンツを比較するように成したものである。
【００１８】
第７の本発明のディスク信号評価方法、青紫レーザ光源を用いて、１−７ＰＰ記録符号化方式で論理フォーマット化されたデータをディスクに記録すると共に１−７ＰＰ記録符号化方式で論理フォーマット化されたフォーマッタからのデータ出力をチェックするディスク信号評価方法に於いて、フォーマッタからの出力データをディスクへの記録と共にリアルタイムに処理する処理ステップと、この処理ステップでの処理データをフォーマッタに供給するオリジナルデータと比較する比較ステップとを、具備して、比較ステップの比較結果によりフォーマッタの正常データをチェックする様にしたものである。
【発明の効果】
【００１９】
第１および第２ならびに第７の本発明のディスク信号評価装置とディスク評価方法によると、フォーマッタ内や記録中のディスクのノイズ等のエラーの検出をディスクへのオリジナルデータの記録時にリアルタイムでチェック可能なものが得られる。第３および４第の本発明のディスク信号評価装置によると、チェックサムをデコード時に検出することでフォーマッタの正常データやディスクの記録状態の異常状態をチェック可能なものが得られる。第５の本発明のディスク信号評価装置によると、コンテンツデータを取り出す前にデータの真偽をチェック可能となる。
【発明を実施するための最良の形態】
【００２０】
以下、本発明の１形態例を図１乃至図８によって説明する。図１は本発明の１形態例を示すディスク信号評価装置の機能ブロック図、図２は本発明の他の形態例を示すディスク信号評価装置の機能ブロック図、図３は本発明のデータ処理手段のソフトウェア処理を示すフローチャート、図４は本発明の更に他の形態例を示すディスク信号評価装置の機能ブロック図（Ｉ）、図５は本発明のチェックサム検出処理を示すフローチェート、図６本発明の更に他の形態例を示すディスク信号評価装置の機能ブロック図（II）、図７は本発明の暗号化処理を示すフローチャート、図８はＢＤを用いた記録再生系のブロック図、図９（Ａ）乃至図９（Ｄ）および図１０（Ａ）乃至図１０（Ｅ）はＢＤ−ＲＯＭの論理フォーマット説明図である。
【００２１】
図１乃至図７により本発明の１形態例のディスク信号評価装置を説明するに先立ち、図８乃至図１０（Ａ）〜（Ｅ）によってＢＤレーザ光を用い１−７ＰＰ符号化を施したデータの記録再生系回路とＢＤ−ＲＯＭの論理フォーマットについて説明する。
【００２２】
図８に於いて、１はＢＤ−ＲＥ、ＢＤ−ＲＯＭ、ＢＤ−Ｒ等の光ディスクであり、ディスクの厚さは１.１ｍｍ、記録面を覆うカバー層２の厚さは０．１ｍｍ、ディスク直径は１２ｃｍ、片面記録容量は２３，３Ｇバイト、２５Ｇバイト、２７Ｇバイトの３通りと成されている。３は４０５ｎｍの青紫レーザ用のＢＤであり、対物レンズ４を介して、記録データの記録・再生が行なわれる。５は記録系回路を６は再生系回路を示すものである。
【００２３】
記録系回路５は映像、音楽、アプリケーション用の記録データＲｅＤの再生が容易になるように２つのエンコード処理を行なう、先ず、誤り訂正用符号化回路７において誤り訂正符号（以下ＥＣＣと記す、  Ｅｒｒｏｒ  Ｃｏｒｒｅｃｔｉｎｇ  Ｃｏｄｅ）処理によってディスクの傷などによる読み誤りを正しいデータに復元する。ＢＤ用のＥＣＣ符号化回路７のＥＣＣブロックは６４Ｋバイトのユーザデータを単位に構成しており、このユーザデータはリードソロモン符号ＬＤＣ（Ｌｏｎｇ  Ｄｉｓｔａｎｃｅ  Ｃｏｄｅ）およびＢＩＳ（Ｂｕｒｓｔ  Ｉｎｄｉｃａｔｏｒ  Ｓｕｂｃｏｄｅ）によって保護されている。従って、６４Ｋビットという大きなＥＣＣブロックとインターリ−ブ長（符号の分散長）を大きくすることで、ランダムエラー、バーストエラーに対しても読み取り時の精度を高めるように成されている。ＥＣＣ符号化回路７によってＥＣＣ処理された記録データＲｅＤは次の記録符号化回路８によって記録符号化がなされる。
【００２４】
この記録符号化回路８は記録符号化記録したいビット列を一定のルールに従ってチャンネルビットに変換するもので、その詳細な方式については特許文献１および冒頭の従来技術にすでに説明されている様に１−７ＰＰ記録符号化方式によればＣＤに用いられているＥＦＭ（Ｅｉｇｈｔ  Ｆｏｕｒｔｅｅｎ  Ｍｏｄｕｌａｔｉｏｎ）方式に比べ小さな単位でデータをパッキングすることが出来て変調効率を高めることが出来る。又検出窓巾が大きくなり、検出能力が向上する。更に、低域信号成分が少なくなり変調前のパリティを保つことが出来る。
【００２５】
記録符号化回路８で記録符号化されたチャンネルビット列をディスク上の記録マークとして正確な形状に生成させて半導体レーザ駆動回路を駆動するためにライト・ストラテジを記録補償回路９によって行なう。即ち、記録符号化回路８で１−７ＰＰ方式で記録符号化したチャンネルビットは記録補償回路９で生成させた波形で半導体レーザ駆動回路１０を介してＢＤ３を発振させＢＤ３の青紫レーザの光変調強度に応じたマーク及びスペースを光ディスク上に記録する。
【００２６】
また、再生系回路６での再生処理は光ピックアツプ３から読み出した信号をイコライザ１１に通し、ＰＬＬ回路１２のクロックにタイミングを合わせてＡ−Ｄ変換回路１３でデジタルデータに変換し、ＮＲＺデータを得る。ＢＤレーザ用のディスクではこの際にＰＲＭＬ信号処理回路（Ｐａｒｔａｌ  Ｒｅｓｐｏｎｓｅ  Ｍａｘｉｍｕｍ  Ｌｉｋｅｌｉｈｏｏｄ）１４にＮＲＺデータを供給し誤り発生を極力抑える。次に、記録復号回路１５によって１−７ＰＰ方式の復号規則によるビタビ復号が行なわれ、最後に誤り訂正回路１６によって誤り訂正をかけることで再生データＲｐＤを復元している。この誤り訂正回路１６ではＰｉｃｋｅｔコード（ＥＣＣブロックに柱のように一定の間隔で埋め込まれた４バイト列）やＬＤＣやＢＩＳによってランダム誤りやバースト誤りを削減している。
【００２７】
次に、図９（Ａ）乃至図９（Ｃ）及び図１０（Ａ）乃至図１０（Ｅ）によって、１−７ＰＰ記録符号化時の論理フォーマットについての大略を説明する。光ディスク１に記録する記録データＲｅＤは６４Ｋバイトのデータに分割し、この分割した各データに対し上記したＥＣＣを付加し１つのＥＣＣクラスタと呼ぶデータの基本単位を形成する。
【００２８】
上記した１つのＥＣＣクラスタは６４Ｋバイトのデータ群を３２個のデータ群に細分化し、図９（Ａ）に示す様に２０４８バイトのデータ群を形成し、夫々の２０４８バイトのデータ群に４バイトのエラーデテクションコード（ＥＤＣ）を付加し合計２０５２バイトのデータ群にする。
【００２９】
次に、この３２個の２０５２バイトのデータ群単位で所定のスクランブルを施し、再度もとの３２×２０５２バイトのデータ群に戻す。次に、図９（Ｂ）に示す様に３２×２０５２バイトのデータ群を大きさが２１６バイトの３０４個のデータ群に再分割する。再分割されたデータ群の夫々に３２バイトのＥＣＣを付加する。最後に、所定のインターリブを行なって並び替えを行なってＥＣＣクラスタが完成する。ＥＣＣクラスタのＥＣＣはバイト単位のリードソロモン符号の符号化方式が用いられている。
【００３０】
上述のＥＣＣクラスタでは２１６バイトのデータ群に対して３２バイトのリードソロモンコードを付加して、１６バイト／２４８バイトの誤り訂正が行なわれる。また、光ディスク１には上述のＥＣＣクラスタアの他に、ＢＩＳクラスタが有り、このＢＩＳクラスタはアドレスと呼ばれるＥＣＣクラスタの番号、ユーザコントロールと呼ばれるＥＣＣクラスタに記録されている情報の機能を表わす番号などが記録されたデータ単位である。
【００３１】
ＢＩＳクラスタの具体的な構成はアドレス番号を示す４バイトの情報と付加データである１バイトの情報と、４バイトのリードソロモンコード符号によるＥＣＣにより構成したアドレスを形成する。この９バイトのアドレスデータと、２１バイトのユーザコントロールとを組み合わせた３０バイトのデータ群を図９（Ｃ）に示すように２４個形成する。次に、これら３０バイトのデータ群に対して、夫々３２バイトのＥＣＣを付加し、最後に所定のインターリ−ブにより並び替えを行なって、ＢＩＳクラスタが完成する。
【００３２】
光ディスクの物理フォーマットは図１０（Ａ）に示すように、ＥＣＣクラスタと、ＢＩＳクラスタを組み合わせたデータが記録されるフィジカルクラスタと、このフィジカルクラスタを接続する２つのリンギングが繰り返される構成となされている。
【００３３】
フィジカルックラスタは図１０（Ｂ）に示すように、夫々、１６個アドレスユニットと呼ばれるブロックに分割される。更に、各アドレスユニットは３１個のデータフレームに分割され、リンギングは、２個のデータフレームで構成されている。
【００３４】
データフレームは、図１０（Ｃ）に示すように、１５５バイトの情報が記録されるデータフレームのデータは３９バイト目、７８バイト目、１１７バイト目の３バイトがＢＩＳクラスタの情報であり、残りの１５２バイトがＥＣＣクラスタのデータである。尚、ＢＩＳクラスタには、アドレスデータとユーザコントロールデータとが含まれているが、アドレスは各アドレスユニット中の最初の３つのデータフレームのＢＩＳクラスアに含まれ、ユーザコントロールデータは、残りのＢＩＳクラスタに含まれている。
【００３５】
また、図１０（Ｄ）に示すように、各データフレームでは、実データを先頭に２５ビットを１つのデータ群とし、残りを４５ビット毎のデータ群とし、合計２８個のデータ群に分割している。
【００３６】
データフレームは図１０（Ｅ）に示すように、先頭のみが、２０ビットのフレーム同期信号と２５ビットの実データと１ビットのＤＣ制御ビットから構成され、その他が４５ビットの実データと１ビットのＤＣ制御ビットとから構成された２８個のＤＣ制御ブロックに分割されている。  尚、各ブロックの終端の１ビットのＤＣ制御ビットは、指標デジタルサムバリュー（ＤＳＶ）の絶対値が０に近づくようにビット値が決定されている。  
【００３７】
上述の論理フォーマットに基づくフォーマット化された１−７ＰＰデータ（以下１−７ＰＰ信号と記す）２２を出力するＢＤ−ＲＯＭフォーマッタ２０は同軸ケーブル２１を介してのＢＤ媒体としてのＢＤ−ＲＯＭ用のマスタディスクをマスタリングしながらリアルタイムにＢＤ−ＲＯＭフォーマッタ２０のチェックをフレキシブルに行なうための機能的ブロックを図１に示す。
【００３８】
図１において、ＢＤ−ＲＯＭ２０から同軸ケーブル２１を介してマスタリング部２４に供給された１７−ＰＰ信号２２はレーザ駆動回路２４に供給されて、可動台上のガラス原盤上に塗布した有機レジストを露光する。この露光方法としては電子ビーム（ＥＢ）露光や波長２６０ｎｍの紫外レーザを用いたＤｅｅｐＵＶ、または、波長４００ｎｍ程度の青紫レーザを用いたＰＴＭ（Ｐｈａｓｅ  Ｔｒａｎｓｉｔｉｏｎ  Ｍａｓｔｅｒｉｎｇ）などが用いられてＢＤ−ＲＯＭ用にフォーマット化された原盤が得られ、この原盤を基にスタンパが作成されてＢＤ−ＲＯＭ２５がインジェクション形成される。
【００３９】
本発明のディスク信号評価装置１９ではこの装置１９内のコンピュータ（以下ＰＣと記す、図示せず）でソフトウェア処理部２６によってソフトウェア処理がなされる。即ち、ＢＤ−ＲＯＭ２０からの１倍速（６６Ｍビット）及び２倍速（１３２Ｍビット）の１−７ＰＰ信号２２は専用変換ボード２７で直列―並列変換（Ｓ−Ｐ）し、リアルタイムに１−７ＰＰ信号を収集する。また、この専用変換ボード２７において、１−７ＰＰ信号の取り込みはＤＭＡ（Ｄｉｒｅｃｔ  Ｍｅｍｏｒｙ  Ａｃｃｅｓｓ）を用いて高速化を図る。また、複数の少なくとも２台のＣＰＵ搭載のＰＣを用いて演算処理時のリソースの有効活用を可能としたマルチスレッドによって更なる高速化処理が成されている。
【００４０】
ソフトウェア処理部２６内でＳ−Ｐ変換された１−７ＰＰイメージデータ２８は後述する図３のフローチャートに示すソフトウェア処理２９によって取り出されたユーザデータ３１、ユーザコントロールデータ３２、アドレスデータ３３などの処理データはＰＣ内のＣＰＵによってＢＤ−ＲＯＭフォーマッタ２０でフォーマット化する前の元のデータ３４であるユーザデータ３１Ａ、ユーザコントロールデータ３２Ａ、アドレスデータ３３Ａなどと比較部３０で比較することでＢＤ−ＲＯＭ２０から出力されるデータが正しいかをリアルタイムに検出し、チェック可能なものを得る。
【００４１】
上述の構成では、ソフトウェア処理部２６はＢＤ−ＲＯＭ２０の出力を入力し元のデータ３４と比較した場合を説明したが、マスタリング部２３のＢＤ−ＲＯＭ２５用の基盤への露光時のモニタ用の戻り光をピックアツプして専用変換ボード２７に供給し、ＢＤ−ＲＯＭ２０からのデータの真偽をチェックしても良い。
【００４２】
図２は本発明の他の構成を示す機能ブロックであり、図１との対応部分には同一符号を付して重複説明を省略する。ＢＤ−ＲＯＭフォーマッタ２０が出力する前の１−７ＰＰフォーマットで構成されたデータを大容量ファイル３５内に格納した１−７ＰＰメージデータをソフトウェア処理ｂしてフレキシブルにチェックを行うことで高速処理してリアルタイム処理を可能にし、さらに  、信号源の元のコンテンツデータ３４とデコードしたユーザデータ３１、ユーザコントロールデータ３２、アドレスデータ３３とを比較部３０で比較して、データの信憑性をチェックする様にしたものである。
【００４３】
上記した図１及び図２に示したソフトウェア処理部２９の処理の流れを図３により説明する。図３の第１ステップＳ１において、１−７ＰＰイメージデータ２８および３５はデコードされ、第２ステップＳ２でＥＣＣが付加されＥＣＣクラスタとなされ、このＥＣＣクラスタはインターリブされたのちに第３ステップＳ３でＬＤＣおよびＢＩＳが付加されてＬＤＣ／ＢＩＳクラスタを得る。
【００４４】
第３ステップＳ３ではＢＩＳクラスタにＥＣＣを付加し、ＢＩＳ／ＥＣＣをインテーリブし、第４ステップＳ４でＢＩＳブロックとＡＦブロックを得た後インターリブして第５ステップＳ５の様にユーザコントロールブロックを得る。このユーザコントロールブロックを第１３ステップＳ１３に示す様にデータファイルに書き込むと同時にアドレスにＥＣＣを付加しインターリブして、第６ステップＳ６でアドレスブロックを得る。このアドレスブロックは第１３ステップＳ１３に示す様にデータファイルに書き込まれる。また、このアドレスブロックは第７ステップＳ７に示すアドレスディスプレイに供給される。
【００４５】
アドレスディスプレイではスクランブルテーブルをジェネレーションし、第８ステップＳ８でスクランブルテーブルを得てインターリブして第９ステップＳ９でＬＤＣブロックとなし、このＬＤＣブロックをインテーリブして第１０ステップＳ１０の様にデータブロックを得る。このデータブロックをＬＤＣおよびＥＣＣと共にインターリブして、第１１ステップＳ１１の様にデスクランブルデータとし、このデスクランブルデータをさらにインテーリブして第１２ステップＳ１２の様にユーザデータを得る。このユーザデータをファイルに書き込み第１３ステップＳ１３の様にデータファイルを得ている。
【００４６】
図４は本発明の更に他の構成を示すチェックサムによる比較方法を示す機能ブロックであり、図５はそのフローチャートを示すものである。以下、図４において図１および図２との対応部分には同一符号を付して重複説明を省略する。
【００４７】
図４のディスク信号評価装置の露光装置は１−７イメージデータ２８を取り出ししてチェックサムを行なう様にしたものであり、ＢＤ−ＲＯＭ２０には元データ３４の１−７イメージデータ３６のビット数を合計したチェックサム３７を各ユニットデータの最後のビットに付加した出力を供給する。ＢＤ−ＲＯＭフォーマッタ２０から専用変換ボード２７を介して出力された１−７イメージデータ２８はＰＣ内のＣＰＵによって元データ３４のチェックサムが比較される。この１−７ＰＰイメージデータに付加するチェックサムには、ＥＤＣの他にＥＣＣも可能である。また、１７ＰＰイメージデータに付加する他に、各コンテンツデータや１７ＰＰ変換前のイメージデータなど信号やエンコードシーケンスの任意の場所に付加することが可能である。この技術は複製されたＢＤ−ＲＯＭディスク信号評価装置に移植する様にしても良い。
【００４８】
図５は図４のフローチャートの１例を示すもので、ＢＤ−ＲＯＭフォーマッタ２０からＰＣのＣＰＵが受信したチェックサム（第１ステップＳＴ１）と１−７ＰＰイメージデータ（第２ステップＳＴ２）は第３ステップＳＴ３に示す様に比較部３０で元データ３４のチェックサムとユニットデータ毎に段階的に比較されることでリアルタイムデータのチェックが成される。
【００４９】
図６は本発明の更に他の構成を示す暗号化方法を示す機能ブロックであり、図７はそのフローチャートを示すものである。以下、図６において図１および図２との対応部分には同一符号を付して重複説明を省略する。
【００５０】
図６において符号２０乃至３４は図１と同一のものである。元データ３４はＢＤ−ＲＯＭフォーマッタ２０内の暗号化処理部３８で暗号化され、１−７ＰＰ信号２２は露光と同時にＳ−Ｐ変換されて、ソフトウェア処理部２９でソフトウェア処理されると共に暗号鍵３９により復号化処理が行なわれる。復号化処理の終わったユーザデータ３１、ユーザコントロールデータ３２、アドレスデータ３３は元データ３４のユーザデータ３１Ａ、ユーザコントロールデータ３２、アドレスデータ３３Ａと比較部３０で比較されて暗号化されたコンテンツデータを信号レベルで評価してリアルタイムでデータのチェック可能なディスクの信号評価装置が得られる。
【００５１】
また、著作権保護のためコピープロテクト用のコンテンツデータの暗号化が行われているとき、通常製作したディスクをディスク評価装置に通してコンテンツデータの復号を行い、ディスクの評価を行うようにすれば、信号評価機内で復号化の後コンテンツデータを取り出すことが出来ることにより、ＢＤ−ＲＯＭフォーマッタ２０が発生した１−７ＰＰ信号データが、所望のコンテンツのものであるかをディスクを製作する工程の前に行うことができる。
【００５２】
図７は図６のフローチャートの１例を示すもので、第１ステップＳＴＰ１ではＢＤ−ＲＯＭフォーマッタ２０からＰＣのＣＰＵが暗号鍵３９を受信する。第２ステップＳＴＰ２ではＢＤ−ＲＯＭフォーマッタ２０から１−７ＰＰイメージデータを受信する。第３ステップＳＴＰ３ではソフトウェア処理部２９で図３に説明したソフトウェア処理が画行なわれる。次の、第４ステップＳＴＰ４ではコンテンツデータ３１、３２，３３の復号が行なわれる。第５ステップＳＴＰ５では元データ３４のオリジナルデータとコンテンツデータが比較部３０で比較されることでリアルタイムデータの真偽チェックが成される。
【００５３】
上述の各実施例ではソフトウェア処理２９の全てのインターリブ処理、１−７ＰＰ逆変換処理、スクランブル処理、同期信号検出処理などの各処理を演算処理した場合を説明したが、これらの各処理をテーブル化してこのテーブル参照することによってソフトウェア処理の高速化を図るようにしてよい。この様なターブルとしては、
□フレームシンクパターンチェック用テーブル
□１７ＰＰ逆変換テーブル
□データブロック・デインターリーブ用テーブル
□ユニットコントロールブロック・デインターリーブ用テーブル
□アクセスブロック・デインターリーブ用テーブル
□ＢＩＳデインターリーブ用テーブル
□ＬＤＣデインターリーブ用テーブル
□ＥＣＣ用テーブル
□ＥＤＣ用テーブル
□スクランブルデータ用テーブル
などであり、通常のデコード処理では、シーケンシャルな演算で充分であるが、これらのデータ変換用テーブルを使用することにより高速化をはかることが可能となる。
【００５４】
また、アルゴリズムの簡易化を図るためのソフトウェア処理に時間がかかるＥＣＣを必要に応じて省略するフローによって高速処理を可能にし、さらに、スクランブルテーブル参照の共通化を図り、データフォーマットの評価時に複数回スクランブルテーブルを使用するルーチンを１本化して高速処理化することも出来る。さらに、また、各データの保存後、必要に応じたソースデータと比較することで、処理後のデータとフォーマッタの入力であるコンテンツデータとの比較を別処理にすることや本発明でソフトウェア処理している１部あるいは全ての処理をハードウェア化することにより、さらなる高速化処理としても良い。
【００５５】
また、１−７ＰＰ信号からアドレス表示などを行い、プラントで動作状況をチェックするために使用するリアルタイムモニターとしたシステムや。メディアを再生するドライブによるチェックシステムへ移植することにより、メディアとしてのディスク評価機として実現するシステムやＢＤ−ＲＯＭ、ＢＤ−ＲＥ、ＢＤ−Ｒフォーマッタの出力信号だけではなく、カッティングマシンの戻り光をアナログ信号からデジタル信号に変換し、評価するシステムに本発明を適用可能である。
【００５６】
本発明によれば、ＢＤ−ＲＯＭフォーマッタの出力やカッティングマシンの戻り光を評価して、正しい信号がフォーマッタから発生されているかをリアルタイムにチェックすることができる。また、リアルタイムにＢＤ−ＲＯＭフォーマッタの出力やカッティングマシンの戻り光からの信号をデコードしたコンテンツデータのチェックサムとオリジナルデータのチェックサムを比較してデータの真偽をリアルタイムにチェックできる。さらに、ＢＤ−ＲＯＭフォーマッタの出力やカッティングマシンの戻り光からの信号をデコードし、暗号化されたコンテンツデータを復号して、データの真偽をリアルタイムにチェックすることが可能なディスク信号評価装置およびディスク信号評価方法が得られる。
【図面の簡単な説明】
【００５７】
【図１】本発明の１形態例を示すディスク信号評価装置およびディスク信号評価方法の機能ブロック図である。
【図２】本発明の他の形態例を示す他のディスク信号評価装置およびディスク信号評価方法の機能ブロック図である。
【図３】本発明のディスク信号評価装置およびディスク信号評価方法に用いるソフトウェア処理のフローチャートである。
【図４】本発明の更に他の形態例を示すディスク信号評価装置およびディスク信号評価方法（Ｉ）の機能ブロック図である。
【図５】本発明のディスク信号評価装置およびディスク信号評価方法に用いるチェックサム比較処理のフローチャートである。
【図６】本発明の更に他の形態例を示すディスク信号評価装置およびディスク信号評価方法（II）の機能ブロック図である。
【図７】本発明のディスク信号評価装置およびディスク信号評価方法に用いる暗号化比較処理のフローチャートである。
【図８】本発明に用いる１−７ＰＰ符号化回路および１−７ＰＰ復号化回路説明用の記録再生装置のブロック図である。
【図９】本発明に用いる１−７ＰＰ信号のフォーマット説明図（Ｉ）である。
【図１０】本発明に用いる１−７ＰＰ信号のフォーマット説明図（II）である。
【図１１】従来のディスク信号評価装置の１形態例を示すブロック図である。
【符号の説明】
【００５８】
１・・・光ディスク、２・・・カバー層、３・・・光ピックアツプ、４・・・対物レンズ、５・・・記録系回路、６・・・再生系回路、７・・・誤り訂正用符号化回路、８・・・記録符号化回路、９・・・記録補償回路、１４・・・ＰＲＭＬ信号処理回路、１５・・・記録復号化回路、２０・・・ＢＤ−ＲＯＭフォーマッタ、２２・・・１−７ＰＰ信号、２３・・・マスタリング部、２５・・・ＢＤ−ＲＯＭ、２６・・・ソフトウェア処理部、２７・・・専用変換ボード、３０・・・比較部、３１、３１Ａ・・・ユーザデータ、３２，３２Ａ・・・ユーザコントロールデータ、３３，３３Ａ・・・アドレスデータ、３４・・・元データ、３８・・・暗号化処理部、３９・・・暗号鍵、４０・・・復号処理部
【図１】
2006155694.tif 000003
【図２】
2006155694.tif 000004
【図３】
2006155694.tif 000005
【図４】
2006155694.tif 000006
【図５】
2006155694.tif 000007
【図６】
2006155694.tif 000008
【図７】
2006155694.tif 000009
【図８】
2006155694.tif 000010
【図９】
2006155694.tif 000011
【図１０】
2006155694.tif 000012
【図１１】
2006155694.tif 000013